(57)【特許請求の範囲】
【請求項１】
第１の系と第２の系とが電気的に非接続な状態で稼働すべき制御システムにおける検査装置であって、
前記第１及び第２の系にはそれぞれ通信線を介してマスタ機器とスレーブ機器とが接続され、電源が投入されると当該マスタ機器が給電を兼ねた伝送信号を当該通信線に供給し、当該スレーブ機器が当該通信線を通じて当該伝送信号を受信して動作するものであり、
前記制御システムに電源が投入されていない状態で、前記第１の系における前記通信線の電気特性を計測する計測部と、
前記電気特性と、前記第１の系における前記マスタ機器及び前記スレーブ機器の構成に応じて定まる閾値とに基づいて、前記第１の系と前記第２の系との誤接続の有無を表示する表示部と、
を備える検査装置。
【請求項２】
第１の系と第２の系とが電気的に非接続な状態で稼働すべき制御システムにおける検査装置であって、
前記第１及び第２の系にはそれぞれ通信線を介してマスタ機器とスレーブ機器とが接続され、電源が投入されると当該マスタ機器が給電を兼ねた伝送信号を当該通信線に供給し、当該スレーブ機器が当該通信線を通じて当該伝送信号を受信して動作するものであり、
前記制御システムに電源が投入されていない状態で、前記第１の系における前記通信線の電気特性を計測する計測部と、
前記電気特性と、前記第１の系における前記マスタ機器及び前記スレーブ機器の構成に応じて定まる閾値とに基づいて、前記第１の系と前記第２の系との誤接続の有無を判定する判定部と、
前記判定部の判定結果を表示する表示部と、
を備える検査装置。
【請求項３】
第１の系と第２の系とが電気的に非接続な状態で稼働すべき制御システムにおける検査装置であって、
前記第１及び第２の系にはそれぞれ通信線を介してマスタ機器とスレーブ機器とが接続され、電源が投入されると当該マスタ機器が給電を兼ねた伝送信号を当該通信線に供給し、当該スレーブ機器が当該通信線を通じて当該伝送信号を受信して動作するものであり、
前記制御システムに電源が投入されていない状態で、前記第１の系における前記通信線の電気特性を計測する計測部と、
前記第１の系における前記マスタ機器及び前記スレーブ機器の構成に関する機器情報を入力する入力部と、
前記機器情報に従って、閾値を生成する閾値生成部と、
前記電気特性と、前記閾値とに基づいて、前記第１の系と前記第２の系との誤接続の有無を判定する判定部と、
前記判定部の判定結果を表示する表示部と、
を備える検査装置。
【請求項４】
前記計測部は、
交流信号を発生させて前記第１の系の前記通信線に供給する信号発生部と、
前記交流信号が供給されている状態における前記通信線の電圧を計測する電圧計測部と、
前記交流信号が供給されている状態における前記通信線の電流を計測する電流計測部と、を備え、
前記電圧及び前記電流に基づいて、前記通信線の交流インピーダンスを計測する、
請求項１から３の何れか１項に記載の検査装置。
【請求項５】
前記信号発生部は、１ｋＨｚ以上１０ｋＨｚ以下の範囲の前記交流信号を発生させる、
請求項４に記載の検査装置。
【請求項６】
第１の系と第２の系とが電気的に非接続な状態で稼働すべき制御システムであって、
前記第１及び第２の系にはそれぞれ通信線を介してマスタ機器とスレーブ機器とが接続され、電源が投入されると当該マスタ機器が給電を兼ねた伝送信号を当該通信線に供給し、当該スレーブ機器が当該通信線を通じて当該伝送信号を受信して動作するものであり、
前記マスタ機器は、前記制御システムに電源が投入されていない状態で、前記第１の系における前記通信線の電気特性を計測する計測部と、
前記電気特性と、前記第１の系における前記マスタ機器及び前記スレーブ機器の構成に応じて定まる閾値とに基づいて、前記第１の系と前記第２の系との誤接続の有無を表示する表示部と、を備える、
制御システム。
【請求項７】
第１の系と第２の系とが電気的に非接続な状態で稼働すべき制御システムにおける検査方法であって、
前記第１及び第２の系にはそれぞれ通信線を介してマスタ機器とスレーブ機器とが接続され、電源が投入されると当該マスタ機器が給電を兼ねた伝送信号を当該通信線に供給し、当該スレーブ機器が当該通信線を通じて当該伝送信号を受信して動作するものであり、
前記制御システムに電源が投入されていない状態で、前記第１の系における前記通信線の電気特性を計測する計測ステップと、
前記電気特性と、前記第１の系における前記マスタ機器及び前記スレーブ機器の構成に応じて定まる閾値とに基づいて、前記第１の系と前記第２の系との誤接続の有無を判定する判定ステップと、
を備える検査方法。
【発明の詳細な説明】
【技術分野】
【０００１】
本発明は、検査装置、制御システム、および、検査方法に関する。
【背景技術】
【０００２】
従来より、ビルや工場に代表される建物内には、各種の制御システムが導入されている。例えば、照明システム（照明制御システム）では、マスタ機器（一例として、中央制御装置）と、スレーブ機器（一例として、壁スイッチやリレー端末）とが、通信線を介して接続されている。なお、マスタ機器は、給電を兼ねた伝送信号を通信線に供給し、スレーブ機器（一例として、壁スイッチ）は、この伝送信号を通信線を通じて受信することにより動作する。一般に、照明システム内には、複数の系が存在し、１つの系は、１つのマスタ機器と複数のスレーブ機器とから構成されている。そして、異なる系同士は、電気的に非接続な状態で稼働するようになっている。【０００３】
このような照明システムにおいて、例えば、施工時に作業者が誤って系同士を接続してしまうこともある。この状態で照明システムに電源を投入してしまうと、双方のマスタ機器の電源が短絡状態となり、出力部分のデバイスが破壊されたり、あるいは、電気的なストレスを受けて運用後に故障し易くなり、結果として、通信不良が生じることとなる。【０００４】
なお、誤接続（誤結線）に対応するための先行技術として、特許文献１には、直流電源と負荷との間の給電路に挿入される回路遮断器の発明が開示されている。
【先行技術文献】
【特許文献】
【０００５】
【特許文献１】特許第５０４３６４２号公報
【発明の概要】
【発明が解決しようとする課題】
【０００６】
特許文献１の発明は、誤接続による短絡保護を目的としており、稼働（通電）後に、誤接続が検出されるようになっている。【０００７】
しかしながら、照明システムに代表される制御システムにおいては、多数の機器が接続されるため、回路遮断器や誤接続検出部に相当するものを各機器に組み入れると、コストが大幅に上昇することが懸念される。また、制御システムにおいては、施工時に、建物内の全てに電源が供給されていない場合もあり、稼働前に、誤接続の有無を検査することのできる技術が求められていた。【０００８】
本発明は、上述のような課題を解決するためになされたものであり、稼働前に、誤接続の有無を適切に検査することのできる検査装置、制御システム、および、検査方法を提供することを目的とする。
【課題を解決するための手段】
【０００９】
上記目的を達成するため、本発明に係る検査装置は、
第１の系と第２の系とが電気的に非接続な状態で稼働すべき制御システムにおける検査装置であって、
前記第１及び第２の系にはそれぞれ通信線を介してマスタ機器とスレーブ機器とが接続され、電源が投入されると当該マスタ機器が給電を兼ねた伝送信号を当該通信線に供給し、当該スレーブ機器が当該通信線を通じて当該伝送信号を受信して動作するものであり、
前記制御システムに電源が投入されていない状態で、前記第１の系における前記通信線の電気特性を計測する計測部と、
前記電気特性と、前記第１の系における前記マスタ機器及び前記スレーブ機器の構成に応じて定まる閾値とに基づいて、前記第１の系と前記第２の系との誤接続の有無を表示する表示部と、
を備える。
【発明の効果】
【００１０】
本発明に係る検査装置では、制御システムに電源が投入されていない状態で、第１の系における通信線の電気特性（一例として、交流インピーダンス）を計測し、この電気特性に応じて、第１の系と第２の系との誤接続の有無を表示する。この結果、稼働前に、誤接続の有無を適切に検査することができる。
【図面の簡単な説明】
【００１１】
【図１】本発明の実施形態１に係る照明システムの全体構成の一例を示す模式図
【図２】通信線における伝送信号の一例を説明するための模式図
【図３】実施形態１に係る検査装置の構成の一例を示すブロック図
【図４】各機器の入力インピーダンスの違いを示すグラフ
【図５】合成インピーダンスを求めるための並列回路モデルを説明するための模式図
【図６】機種Ｆの機器から構成される系（正常の系及び誤接続の系）における合成インピーダンスの特性を示すグラフ
【図７】機種Ｍの機器から構成される系（正常の系及び誤接続の系）における合成インピーダンスの特性を示すグラフ
【図８】機種Ｍの機器から構成される系における閾値を説明するためのグラフ
【図９】本発明の実施形態１に係る検査処理を説明するためのフローチャート
【図１０】本発明の実施形態２に係る照明システムの全体構成の一例を示す模式図
【図１１】実施形態２に係る検査装置の構成の一例を示すブロック図
【図１２】本発明の実施形態２に係る事前検査処理を説明するためのフローチャート
【発明を実施するための形態】
【００１２】
以下、本発明の実施形態について、図面を参照しながら詳細に説明する。なお、図中同一または相当部分には同一符号を付す。以下では、制御システムの具体例として、本発明が照明システム（照明制御システム）に適用される場合について説明するが、後述するように、他の制御システムにおいても同様に本発明を適用することができる。すなわち、以下に説明する実施形態は説明のためのものであり、本発明の範囲を制限するものではない。従って、当業者であればこれらの各要素または全要素をこれと均等なものに置換した実施形態を採用することが可能であるが、これらの実施形態も本発明の範囲に含まれる。
【００１３】
（実施形態１）
図１は、本発明の実施形態１に係る照明システム１の全体構成の一例を示す模式図である。この照明システム１は、複数の系（一例として、Ａ系，Ｂ系）に分かれており、系単位に１つのマスタ機器１０と複数のスレーブ機器２０とが、通信線３０を介して接続されている。そして、１つの系（一例として、Ｂ系）の通信線３０に検査装置４０が接続されている。
【００１４】
なお、Ａ系の通信線３０とＢ系の通信線３０とは、電気的に非接続な状態で稼働すべきであるが、点線Ｌにて示すように、系同士が誤接続（誤配線）されてしまうことも起こり得る。
【００１５】
また、図１では省略しているが、幾つかのスレーブ機器２０（一例として、リレー端末）には、照明器具が接続されているものとする。
【００１６】
マスタ機器１０は、例えば、各スレーブ機器２０のアドレスを記憶した中央制御装置であり、通信線３０を介してスレーブ機器２０を制御する。一例として、通信線３０には、図２に示すような伝送信号が流れ、マスタ機器１０とスレーブ機器２０との間でデータのやり取りが行われる。具体的に、マスタ機器１０は、±２４Ｖの電圧モードで、スレーブ機器２０（一例として、壁スイッチ）への電源供給と信号送信とを同時に行う。つまり、マスタ機器１０は、給電を兼ねた伝送信号を通信線３０に供給する。また、この伝送信号には、アドレスや制御データが含まれており（制御モードの場合）、アドレス先のスレーブ機器２０は、受信した制御データに応じて動作するようになっている。
【００１７】
スレーブ機器２０は、例えば、壁スイッチやリレー端末であり、通信線３０を介して、マスタ機器１０から送られる図２の伝送信号を受信して動作する。なお、上述したように、スレーブ機器２０が壁スイッチである場合に、この伝送信号によって、電源供給もなされる。また、スレーブ機器２０がリレー端末である場合に、受信した伝送信号における制御データに従って、図示せぬ照明器具と電源との接続をオン・オフする。
【００１８】
通信線３０は、例えば、２線式の伝送線であり、上述した図２に示すような伝送信号が流れる。具体的に、マスタ機器１０からスレーブ機器２０（一例として、壁スイッチ）へは、電圧モードにて、電源供給と信号送信とが同時に行われる。また、スレーブ機器２０からマスタ機器１０へは、電流モードにて、返信が行われる。
【００１９】
検査装置４０は、照明システム１の電源投入前（稼働前）に、系同士の誤接続の有無を検査する。例えば、照明システム１の施工時に作業者が誤って、点線Ｌにて示すように、Ａ系の通信線３０とＢ系の通信線３０とを誤接続してしまうことも起こり得る。この状態で照明システム１に電源を投入してしまうと、双方のマスタ機器１０の電源が短絡状態となり、出力部分のデバイスが破壊されたり、あるいは、電気的なストレスを受けて、運用後に故障し易くなり、結果として、通信不良が生じることとなる。
【００２０】
そのため、検査装置４０は、照明システム１における電源投入前に、接続された系（一例として、Ｂ系）について、通信線３０の電気特性（一例として、交流インピーダンス）を計測し、その計測値に応じて誤接続の有無を検査する。
【００２１】
このような検査装置４０の詳細について、図３を参照して説明する。図３は、本発明の実施形態１に係る検査装置４０の構成の一例を示すブロック図である。図示するように、検査装置４０は、入力部４１と、閾値生成部４２と、計測部４３と、判定部４４と、表示部４５とを備える。なお、閾値生成部４２及び判定部４４は、一例として、ＣＰＵ（Central Processing Unit）、ＲＯＭ（Read Only Memory）、及び、ＲＡＭ（Random Access Memory）を備えたマイコンにより実現される。つまり、ＣＰＵが、ＲＡＭをワークメモリとして用い、ＲＯＭに記憶されている各種プログラムを適宜実行することにより、閾値生成部４２及び判定部４４の機能が実現される。
【００２２】
入力部４１は、例えば、スイッチや操作キーであり、ユーザ（一例として、作業者や検査者）が、検査装置４０に接続された系（一例として、Ｂ系）を構成する機器の種類（機種）や台数といった機器情報を入力する。なお、機種の代わりに、入力部４１は、ＲＳ４８５規格といった物理層を規定する情報を入力してもよい。この他にも、入力部４１は、検査の開始を指示する開始情報を入力してもよい。この場合、入力された開始情報に応答して、計測部４３が、電気特性の計測を開始する。なお、入力部４１に機器情報が入力されたことに応答して、計測部４３が、電気特性の計測を開始してもよい。
【００２３】
閾値生成部４２は、入力部４１から入力された機器情報に応じて、誤接続の有無を判定するための閾値を生成する。具体的に、閾値生成部４２は、予め、図４に示すような各機種（一例として、機種Ｆ及び機種Ｍ）の機器（マスタ機器１０及びスレーブ機器２０）のインピーダンスをそれぞれ計測した情報を記憶している。この図４に示す各機器のインピーダンスは、一例として、１０ＫＨｚの交流信号を流して計測した値である。なお、１０ＫＨｚに限られず、他の周波数の交流信号を生成させてインピーダンスを計測しても良いが、通信線３０の伝送特性への影響を考慮すると、１〜１０ＫＨｚ程度の範囲が望ましい。
【００２４】
閾値生成部４２は、このような各機器のインピーダンスを基に、図５に示すような並列回路モデルを生成する。具体的には、以下の式１により、閾値生成部４２は、１つの系を構成する機器情報（一例として、機種及び台数）に応じた合成インピーダンスを求めておく。
【００２５】
Ｚｃ＝（Ｚｓ×Ｚｐ／Ｎ）／（Ｚｓ＋（Ｚｐ／Ｎ））  ・・・（式１）
Ｚｃ：合成インピーダンス
Ｚｓ：マスタ機器のインピーダンス
Ｚｐ：スレーブ機器のインピーダンス
Ｎ：スレーブ機器の台数
【００２６】
図６は、一例として、機種Ｆの機器から構成される系（正常の系及び誤接続の系）における合成インピーダンスの特性を示すグラフである。図６において、曲線Ｃ１は、正常の系における合成インピーダンスの変化（台数に応じた変化）を示している。また、図６におけるその他の曲線は、誤接続の系における合成インピーダンスの変化を示している。図示するように、曲線Ｃ１は、台数が５０台まで増えても、合成インピーダンスが１５００Ωを下回らず、誤接続の系における合成インピーダンスの最大値（１０８０Ω程度）とは大きく離れている。これにより、機種Ｆの機器から構成される系の場合、構成する台数に依らず、一例として、インピーダンスが１２００Ω以上であれば、誤接続がないと判定可能となる。逆に、インピーダンスが１２００Ω未満であれば、誤接続があると判定可能となる。そのため、閾値生成部４２は、機種Ｆと対応付けて、１２００Ωを閾値として記憶しておく。
【００２７】
また、図７は、一例として、機種Ｍの機器から構成される系（正常の系及び誤接続の系）における合成インピーダンスの特性を示すグラフである。図７において、曲線Ｃ２は、正常の系における合成インピーダンスの変化（台数に応じた変化）を示している。また、図７におけるその他の曲線は、誤接続の系における合成インピーダンスの変化を示している。図示するように、曲線Ｃ２は、台数が増えると、合成インピーダンスが誤接続の系における合成インピーダンスの最大値を下回ってしまうため、上記の機種Ｆと異なり、台数に依存した閾値が必要となる。そのため、閾値生成部４２は、図８に示すように、曲線Ｃ２に近似する曲線Ｃ３（近似曲線）を求め、その曲線Ｃ３のオフセット値を調整して、正常の系の合成インピーダンス（つまり、曲線Ｃ２）と、誤接続の系の合成インピーダンスとの間となる曲線Ｃ４を求めておく。具体的に、曲線Ｃ３は、以下の式２にて表され、また、曲線Ｃ４は、以下の式３にて表される。
【００２８】
Ｚ＝５．９２Ｘ2−６２７．１Ｘ＋２８２４８  ・・・（式２）
Ｚ＝５．９２Ｘ2−６２７．１Ｘ＋２５５００  ・・・（式３）
Ｚ：合成インピーダンス
Ｘ：台数
【００２９】
これにより、機種Ｍの機器から構成される系の場合、一例として、インピーダンスが、数式３から求められた値（台数を式３に当てはめて求められた値）以上であれば、誤接続がないと判定可能となる。逆に、インピーダンスが、数式３から求められた値未満であれば、誤接続があると判定可能となる。そのため、閾値生成部４２は、閾値を生成するために、機種Ｍと対応付けて、数式３を記憶しておく。
【００３０】
これらのような閾値や数式３を記憶している閾値生成部４２は、入力部４１から入力された機器情報（一例として、機種や台数）に応じて、誤接続の有無を判定するための閾値を生成する。例えば、入力部４１から、機種Ｆが入力された場合に、台数に依らず（台数の入力を省略してもよい）、閾値生成部４２は、閾値として、１２００Ωを生成する。また、入力部４１から、機種Ｍが入力され、３０台の台数が入力された場合に、閾値生成部４２は、数式３から閾値として、１２０６０Ωを生成する。
【００３１】
図３に戻って、計測部４３は、接続された系（一例として、Ｂ系）について、通信線３０の電気特性を計測する。なお、計測部４３は、信号発生部４３１と、電圧計測部４３２と、電流計測部４３３とを備えている。
【００３２】
信号発生部４３１は、一例として、１０ＫＨｚの交流信号を発生させる。なお、発生させる交流信号は、１０ＫＨｚに限られないが、上述したように、通信線３０の伝送特性への影響を考慮すると、１〜１０ＫＨｚ程度の範囲が望ましい。発生させた交流信号は、端子Ｔを通じて、Ｂ系の通信線３０に供給される。
【００３３】
電圧計測部４３２は、信号発生部４３１が交流信号を発生させている状態で、通信線３０の電圧を計測する。
【００３４】
電流計測部４３３は、信号発生部４３１が交流信号を発生させている状態で、変流器ＣＴを通じて、通信線３０の電流を計測する。
【００３５】
このような構成の計測部４３は、電圧計測部４３２が計測した電圧、及び、電流計測部４３３が計測した電流から、通信線３０の交流インピーダンスを計測する。このようにして、交流インピーダンスの計測を終えると、信号発生部４３１は、交流信号の発生を停止し、また、電圧計測部４３２及び電流計測部４３３は、計測を終了する。
【００３６】
判定部４４は、計測部４３が計測した交流インピーダンスと、閾値生成部４２が生成した閾値とに基づいて、誤接続の有無を判定する。つまり、計測された交流インピーダンスが、閾値以上であれば、判定部４４は、誤接続がないと判定する。一方、計測された交流インピーダンスが、閾値未満であれば、判定部４４は、誤接続があると判定する。
【００３７】
表示部４５は、一例として、液晶表示デバイスからなり、判定部４４による判定結果を表示する。つまり、誤接続の有無を表示する。なお、表示部４５の代わりに、若しくは、表示部４５に加えて、ブザーやスピーカからなる発音部を備えている場合に、判定部４４による判定結果に応じた報知音を出力するようにしてもよい。
【００３８】
以下、このような構成の検査装置４０の動作について、図９を参照して説明する。図９は、本発明の実施形態１に係る検査処理の一例を示すフローチャートである。この検査処理は、照明システム１への電源投入前に開始される。
【００３９】
まず、検査装置４０は、ユーザの入力操作に従って、機器情報を取得する（ステップＳ１０１）。つまり、入力部４１は、ユーザによるスイッチや操作キーの操作に従って、検査装置４０に接続された系（一例として、Ｂ系）を構成する機器の種類（機種）や台数といった機器情報を入力する。
【００４０】
検査装置４０は、閾値を生成する（ステップＳ１０２）。すなわち、閾値生成部４２は、入力部４１から入力された機器情報（一例として、機種や台数）に応じて、誤接続の有無を判定するための閾値を生成する。例えば、入力部４１から、機種Ｆが入力された場合に、台数に依らず（台数の入力を省略してもよい）、閾値生成部４２は、閾値として、１２００Ωを生成する。また、入力部４１から、機種Ｍが入力され、３０台の台数が入力された場合に、閾値生成部４２は、上述した数式３から閾値として、１２０６０Ωを生成する。
【００４１】
検査装置４０は、小振幅交流信号を出力する（ステップＳ１０３）。すなわち、信号発生部４３１は、一例として、１０ＫＨｚの交流信号を発生させ、Ｂ系の通信線３０に供給する。
【００４２】
検査装置４０は、インピーダンス計測を行う（ステップＳ１０４）。すなわち、信号発生部４３１が交流信号を発生させている状態で、電圧計測部４３２は、通信線３０の電圧を計測し、また、電流計測部４３３は、変流器ＣＴを通じて、通信線３０の電流を計測する。そして、計測部４３は、計測された電圧及び電流から、通信線３０の交流インピーダンスを計測する。
【００４３】
検査装置４０は、計測されたインピーダンスに応じて、誤接続の有無を判定する（ステップＳ１０５）。すなわち、判定部４４は、計測部４３が計測した交流インピーダンスと、閾値生成部４２が生成した閾値とに基づいて、誤接続の有無を判定する。つまり、計測された交流インピーダンスが、閾値以上であれば、判定部４４は、誤接続がないと判定する。一方、計測された交流インピーダンスが、閾値未満であれば、判定部４４は、誤接続があると判定する。
【００４４】
検査装置４０は、判定結果を表示する（ステップＳ１０６）。すなわち、表示部４５は、判定部４４による判定結果を表示する。つまり、誤接続の有無を表示する。
【００４５】
このような検査処理によって、照明システム１に電源が投入されていない状態で、検査装置４０が接続されている系（一例として、Ｂ系）における通信線３０の交流インピーダンスが計測され、この交流インピーダンスと機器情報に応じた閾値とに基づいて、系同士の誤接続の有無が判定される。この結果、稼働前に、誤接続の有無を適切に検査することができる。
【００４６】
上記の実施形態１では、外付けの検査装置４０を用いて、誤接続の有無を検査する場合について説明したが、このような検査装置４０の機能を、マスタ機器１０内に内蔵して、誤接続の有無を検査するようにしてもよい。以下、本発明の実施形態２に係る照明システム２について、説明する。
【００４７】
（実施形態２）
図１０は、本発明の実施形態２に係る照明システム２の全体構成の一例を示す模式図である。この照明システム２も、実施形態１と同様に、複数の系（一例として、Ａ系，Ｂ系）に分かれており、系単位に１つのマスタ機器５０と複数のスレーブ機器２０とが、通信線３０を介して接続されている。なお、スレーブ機器２０、及び、通信線３０は、実施形態１と同様である。
【００４８】
また、実施形態１と同様に、Ａ系の通信線３０とＢ系の通信線３０とは、電気的に非接続な状態で稼働すべきであるが、点線Ｌにて示すように、系同士が誤接続（誤配線）されてしまうことも起こり得る。また、実施形態１と同様に、図１０では省略しているが、幾つかのスレーブ機器２０（一例として、リレー端末）には、照明器具が接続されているものとする。
【００４９】
マスタ機器５０は、例えば、中央制御装置であり、通信線３０を介してスレーブ機器２０を制御する。なお、マスタ機器５０は、実施形態１における検査装置４０の機能を内蔵している。
【００５０】
このようなマスタ機器５０の詳細について、図１１を参照して説明する。図１１は、本発明の実施形態２に係るマスタ機器５０の構成の一例を示すブロック図である。図示するように、マスタ機器５０は、制御部５１、及び、通信処理部５２に加えて、入力部４１と、閾値生成部４２と、計測部４３と、判定部４４と、表示部４５とを備える。これら入力部４１〜表示部４５は、実施形態１における検査装置４０と同じ構成である。
【００５１】
制御部５１は、マスタ機器５０全体を制御する。例えば、制御部５１は、通信処理部５２を動作させる前に、計測部４３や判定部４４を動作させ、誤接続の有無を検査させる。なお、誤接続があると判定された場合には、制御部５１は、通信処理部５２を動作させない。
【００５２】
通信処理部５２は、制御部５１に制御され、通信線３０に上述した図２に示すような伝送信号を送信し、スレーブ機器２０（一例として、壁スイッチ）への電源供給と信号送信とを同時に行う。なお、通信処理部５２は、計測部４３や判定部４４により、誤接続がないと判定された場合に限り動作する。
【００５３】
以下、このような構成のマスタ機器５０の動作について、図１２を参照して説明する。図１２は、本発明の実施形態２に係る事前検査処理の一例を示すフローチャートである。この事前検査処理は、例えば、マスタ機器５０への電源投入時に開始される。なお、予め入力部４１には、ユーザによって機器情報が入力されているものとする。
【００５４】
まず、マスタ機器５０は、ランダム時間の経過を待機する（ステップＳ２０１）。つまり、制御部５１は、他のマスタ機器５０との時間差を確保するためのランダム時間を生成し、このランダム時間が経過するまで待機する。
【００５５】
ランダム時間の待機を終えるとマスタ機器５０は、小振幅交流信号を出力する（ステップＳ２０２）。すなわち、信号発生部４３１は、一例として、１０ＫＨｚの交流信号を発生させ、Ｂ系の通信線３０に供給する。
【００５６】
マスタ機器５０は、インピーダンス計測を行う（ステップＳ２０３）。すなわち、信号発生部４３１が交流信号を発生させている状態で、電圧計測部４３２は、通信線３０の電圧を計測し、また、電流計測部４３３は、変流器ＣＴを通じて、通信線３０の電流を計測する。そして、計測部４３は、計測された電圧及び電流から、通信線３０の交流インピーダンスを計測する。
【００５７】
マスタ機器５０は、計測されたインピーダンスが閾値以上であるか否かを判別する（ステップＳ２０４）。すなわち、閾値生成部４２は、入力部４１から入力された機器情報（一例として、機種や台数）に応じて、誤接続の有無を判定するための閾値を生成しており、判定部４４は、計測部４３が計測した交流インピーダンスが、この閾値以上であるかどうかを判別する。
【００５８】
マスタ機器５０は、計測されたインピーダンスが閾値以上であると判別すると（ステップＳ２０４；Ｙｅｓ）、正常メッセージを表示する（ステップＳ２０５）。つまり、表示部４５は、誤接続がないことを示す正常メッセージを表示する。そして、マスタ機器５０は、事前検査を正常終了し、スレーブ機器２０との通信を開始する。すなわち、制御部５１は、通信処理部５２を動作させ、上述した図２に示すような伝送信号を通信線３０に送信させる。
【００５９】
一方、計測されたインピーダンスが閾値以上でない（閾値未満である）と判別された場合（ステップＳ２０４；Ｎｏ）に、マスタ機器５０は、アラートメッセージを表示する（ステップＳ２０６）。つまり、表示部４５は、誤接続があることを示すアラートメッセージを表示する。そして、マスタ機器５０は、事前検査を異常終了し、そのまま、動作を停止させる。すなわち、制御部５１は、通信処理部５２を動作させることなく、処理を停止する。
【００６０】
このような事前検査処理によって、照明システム２が実際に稼働する前に、通信線３０の交流インピーダンスが計測され、この交流インピーダンスと機器情報に応じた閾値とに基づいて、系同士の誤接続の有無が判定される。この結果、稼働前に、誤接続の有無を適切に検査することができる。
【００６１】
（他の実施形態）
上記の実施形態１，２では、誤接続の有無を検査するにとどめたが、更に、誤接続があれば、その箇所までの距離を求めるようにしてもよい。例えば、判定部４４は、誤接続があると判定すると、ＴＤＲ（Time Domain Refrectometer）の手法により、誤接続の箇所までの距離を求める。
【００６２】
具体的に、計測部４３は、信号発生部４３１から、高速なパルス信号を通信線３０に印可し、返ってくる反射波形の時間を計測することで、誤接続の箇所までの距離を求める。
【００６３】
そして、表示部４５は、判定結果と、誤接続の箇所までの距離（誤接続がある場合）とを表示する。
【００６４】
このように、誤接続の箇所までの距離が表示されると、ユーザは、誤接続の解消を容易に行うことができる。
【００６５】
上記の実施形態では、制御システムの具体例として、照明システム１，２について説明したが、他の制御システムにも適宜適用可能である。例えば、マスタ機器１０と複数のスレーブ機器２０とから構成される空調システムや換気システムにおいても、同様に適用可能である。
【００６６】
また、上記の実施形態において、閾値生成部４２や判定部４４を実現するマイコンにより実行されるプログラムは、ＣＤ−ＲＯＭ（Compact Disc Read Only Memory），ＤＶＤ（Digital Versatile Disc），ＭＯ（Magneto-Optical Disk），ＵＳＢメモリ，メモリカード等のコンピュータ読み取り可能な記録媒体に格納して配布することも可能である。そして、かかるプログラムを特定の又は汎用のコンピュータにインストールすることによって、当該コンピュータを上記の実施形態における閾値生成部４２や判定部４４として機能させることも可能である。
【００６７】
また、上記のプログラムをインターネットといった通信ネットワーク上のサーバ装置が有するディスク装置に格納しておき、例えば、搬送波に重畳させて、コンピュータにダウンロードするようにしてもよい。また、通信ネットワークを介してプログラムを転送しながら起動実行することによっても、上述の処理を達成することができる。さらに、プログラムの全部又は一部をサーバ装置上で実行させ、その処理に関する情報をコンピュータが通信ネットワークを介して送受信しながらプログラムを実行することによっても、上述の処理を達成することができる。
【００６８】
なお、上述の機能を、ＯＳ（Operating System）が分担して実現する場合又はＯＳとアプリケーションとの協働により実現する場合等には、ＯＳ以外の部分のみを上記の記録媒体に格納して配布してもよく、また、コンピュータにダウンロードしてもよい。
【００６９】
本発明は、広義の精神と範囲を逸脱することなく、様々な実施形態及び変形が可能である。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【００７０】
本発明は、稼働前に、誤接続の有無を適切に検査することのできる検査装置、制御システム、および、検査方法に好適に採用され得る。
【符号の説明】
【００７１】
１，２  照明システム、１０，５０  マスタ機器、２０  スレーブ機器、３０  通信線、４０  検査装置、４１  入力部、４２  閾値生成部、４３  計測部、４３１  信号発生部、４３２  電圧計測部、４３３  電流計測部、４４  判定部、４５  表示部、５１  制御部、５２  通信処理部
【図１】
0006641502.tif 000002
【図２】
0006641502.tif 000003
【図３】
0006641502.tif 000004
【図４】
0006641502.tif 000005
【図５】
0006641502.tif 000006
【図６】
0006641502.tif 000007
【図７】
0006641502.tif 000008
【図８】
0006641502.tif 000009
【図９】
0006641502.tif 000010
【図１０】
0006641502.tif 000011
【図１１】
0006641502.tif 000012
【図１２】
0006641502.tif 000013